(57)【要約】      （修正有）【課題】使用者の顔面の形態に合わせて適切な位置に変更できる双眼ルーペの鼻当て取付機構を提供する。【解決手段】ブラケット４から下方へ吊下した姿勢で鼻当て６を具備した双眼ルーペＯＰのフレームにおいて、ブラケットの後部側に、下端部に鼻当てが設けられた鼻当て支持杆部材７の上部を、バネ力を介して前後から挟むように形成した挟持部Ｈｍに支持させ、かつ、挟持部をガイド部８とガイド部材の背面側に配置される玉受け部材９とによりブラケットに軸支させたことにより、当該鼻当て支持杆部材が、前記バネ力に抗して上下方向に移動可能であると共に前記挟持部に挟持されたまま少なくとも前方へ揺動可能にした。【選択図】図３
0003184651.tif 000002
【実用新案登録請求の範囲】
【請求項１】
左右のテンプル部材とこの左右のテンプル部材の先端部に結合されたフロント部材とを備えたフレームの前面中央部に双眼ルーペの装着部となるブラケットを備えると共に、当該ブラケットから下方へ吊下した姿勢で鼻当てを具備した双眼ルーペのフレームにおいて、前記ブラケットの後部側に、下端部に鼻当てが設けられた鼻当て支持杆部材の上部を、バネ力を介して前後から挟むように形成した挟持部に支持させ、かつ、当該挟持部を前記ブラケットに軸支させたことにより、当該鼻当て支持杆部材が、前記バネ力に抗して上下方向に移動可能であると共に前記挟持部に挟持されたまま少なくとも前方へ揺動可能にしたことを特徴とする双眼ルーペのフレームにおける鼻当て取付機構。
【請求項２】
ブラケットは、左右両側の側壁部と、当該両側壁部をその中間部で一体に繋ぐように配置された立壁部とから成る請求項１に記載の鼻当て取付機構。
【請求項３】
ブラケットは、その立壁部の前方上部に双眼ルーペの取付軸として水平に寝かせた支柱が設けられていると共に、前記立壁部の背面側における両側壁部の間に、鼻当て支持杆部材の挟持部が配設された請求項１又は２に記載の鼻当て取付機構。
【請求項４】
鼻当て支持杆部材の挟持部は、当該支持杆部材を支持案内するガイド部材と玉受け部材とを一体化し、この一体状態で前記ガイド部材の上端部を、前記ブラケットの左右側壁部の後方上部に、前記水平な支柱と平行な支持軸に支持させた請求項３に記載の鼻当て取付機構。
【請求項５】
鼻当て支持杆部材の挟持部は、玉受け部材が、根元側をブラケットの立壁部に支持させた圧縮バネによって常時後方へ向け押されていることにより、鼻当て支持杆部材を前記支持軸を中心にしてバネ力に抗して前後方向に揺動させることができると共に、前記支持杆部材の背面が、板バネによって常時前方へ向けたバネ力を受けるように玉受け部材に配設された鋼球が当該支持杆部材の背面に高さ方向に列設したボール受けに当接していることによって、この鼻当て支持杆部材を上下方向に移動させることができるようにした請求項４に記載の鼻当て取付機構。
【考案の詳細な説明】
【技術分野】
【０００１】
本考案は双眼ルーペにおける鼻当ての取付機構、具体的には、双眼ルーペのフレームにおける鼻当ての位置を可変にした取付機構に関する。
【背景技術】
【０００２】
レンズを組合わせた拡大光学系を有する双眼ルーペは、外科や歯科等の医療分野で従来から広く使用されている。
【０００３】
双眼ルーペは、眼鏡フレーム状をなすフレームの前方中心部、又は、ヘッドバンドの前方中心部に、距離可変等になった光学系を備えた双眼ルーペを具備したものが一般的である（例えば、特許文献１，２参照）。
このうち、眼鏡フレーム状のフレームの前部に双眼ルーペを取付けた形態のものは、重量のある双眼ルーペが、当該フレームの左，右のテンプル部材による装着者の頭部側面を挟持する力と、そのフレームの中心部から下方へ延びて設けられた鼻当てによる下からの支持力とによって支持されるようになっている。
【０００４】
ところが、従来のフレーム式の双眼ルーペにおける鼻当ては、その鼻当てが設けられたフレームに対して固定的にしか設けられていないため、このフレームを装着する者、つまり双眼ルーペ使用者の顔面の形態、特に、鼻の位置や高さや大きさなどの形態差によって、固定して設けられている鼻当てが適切に機能し難い場合があった。
【０００５】
また、双眼ルーペを装着して長時間に亘る施術等を行っていると、鼻当てが当接している部位が辛くなり、その位置を変更したくなることが報告されている。
【０００６】
一方、従来のフレーム式の双眼ルーペは、左右のテンプル部材の挟持力と鼻当てによる下からの支持力によって双眼ルーペを支持する形態のものが大半であったため、双眼ルーペの安定な装着状態を具現するには、未だ十分とはいえない面もあった。
【０００７】
このような問題点に鑑みて提案されている技術も特許文献３などにより知られているが、装着者の顔の個人差を吸収できる構造を備えたものではない。
【先行技術文献】
【特許文献】
【０００８】
【特許文献１】実開平０４−１６４０９号公報
【特許文献２】特許第５０３２３３２号公報
【特許文献３】特開２００５−１２１９８４号公報
【考案の概要】
【考案が解決しようとする課題】
【０００９】
そこで、本考案は、従来の双眼ルーペフレームにおける鼻当てに係る問題点を解消するため、鼻当てをフレームに対して可変に設けた双眼ルーペのフレームにおける鼻当て取付機構を提供することを、その課題とする。
【課題を解決するための手段】
【００１０】
上記課題を解決することを目的としてなされた本考案鼻当て取付機構の構成は、左右のテンプル部材とこの左右のテンプル部材の先端部に結合されたフロント部材とを備えたフレームの前面中央部に双眼ルーペの装着部となるブラケットを備えると共に、当該ブラケットから下方へ吊下した姿勢で鼻当てを具備した双眼ルーペのフレームにおいて、前記ブラケットの後部側に、下端部に鼻当てが設けられた鼻当て支持杆部材の上部を、バネ力を介して前後から挟むように形成した挟持部に支持させ、かつ、当該挟持部を前記ブラケットに軸支させたことにより、当該鼻当て支持杆部材が、前記バネ力に抗して上下方向に移動可能であると共に前記挟持部に挟持されたまま少なくとも前方へ揺動可能にしたことを特徴とするものである。
【００１１】
上記構成の本考案においては、前記ブラケットを、左右両側の側壁部と、当該両側壁部をその中間部で一体に繋ぐように配置された立壁部とから成り平面から視て大略Ｈ状に形成した部材とすることが望ましい。
【００１２】
また、ブラケットの上記構成により、当該ブラケットの立壁部の前方で左右側壁部の上部に双眼ルーペ取付用の水平に寝かせた支柱を設け、さらに、前記立壁部の背面側における左右両側壁部の間に、鼻当て支持杆部材の挟持部を配設することができる。
【００１３】
本考案の鼻当て支持杆部材の挟持部は、当該支持杆部材を支持案内するガイド部材と該ガイド部材の背面側に配置される玉受け部材とを主体にして形成されている。
【００１４】
すなわち、前記ガイド部材とその背面に重ねた玉受け部材はビス止めにより合着一体化し、この合体状態において前記ガイド部材の上端部を、前記ブラケットの左右側壁部の後方上部に、前記水平な支柱と平行な支持軸によって支持させている。
【００１５】
そして、前記支持軸に軸支された挟持部は、次のように形成されている。
まず、玉受け部材が、根元側をブラケットの立壁部に支持させた圧縮バネによって常時後方へ向けて押されるように形成されていることにより、この玉受け部材および玉受け部材と一体のガイド部材に挟持された鼻当て支持杆部材が前記支持軸を中心にバネ力に抗して前後方向に揺動できるようになっている。
次に、この挟持部に挟持されている前記支持杆部材の背面（玉受け部材前面との当接面側）は、前記玉受け部材の背面に設けた板バネによって常時前方へ向けたバネ力を受けるように当該玉受け部材に設けた穴に配設された鋼球（以下、ボールともいう）が、当該支持杆部材の背面に高さ方向に列設した断面略凹状のボール受けに当接していることによって、鼻当て支持杆部材が節度ある操作感を伴ってこの挟持部の中で上下移動できるように形成されている。
【考案の効果】
【００１６】
本考案は、上記構成によってバネ力に抗して前後方向に揺動可能に設けられた挟持部に鼻当ての支持杆部材がバネ力を介して支持されているので、この鼻当ては、前後方向に揺動可能であると同時に上下方向で移動可能に、双眼ルーペのフレームに設けられることになる。
【図面の簡単な説明】
【００１７】
【図１】本考案取付機構を適用した双眼ルーペの一例の側面図。
【図２】図１の双眼ルーペの正面図。
【図３】図１の取付機構を拡大した縦断側面図。
【図４】図３のＡ−Ａ線矢視断面図。
【図５】本考案鼻当て支持杆部材の取付機構における使用状態の一例の要部の側断面図。
【図６】本考案鼻当て支持杆部材の取付機構における使用状態の他の例の要部の側断面図。
【考案を実施するための形態】
【００１８】
次に、図面を参照して本考案の実施の形態例について説明する。
図において、１，２は、双眼ルーペフレームＦにおける左右のテンプル部材、３は前記両テンプル部材１，２の先端側において両テンプル部材１，２に両端部がヒンジ結合３ａ，３ｂされたフロント部材で、これらの３つの部材１〜３は、ヒンジ結合３ａ，３ｂの部分で、通常の眼鏡フレームと同様にテンプル部材１，２をフロント部材３の内側に折畳むことができるように形成されている。
なお、フレームＦの３つの部材１〜３は、装着者の頭部の形状に沿うように外面側に曲面凸状をなすよう湾曲している。
【００１９】
上記フレームＦのフロント部材３において、その正面略中央部には、後述するブラケット４の取付部として機能するように垂下形成されたブラケット取付部３１が形成されている。
【００２０】
図３，図４において、ブラケット４は、正面から見て左右平行で適宜距離離隔した左右の側壁部４１，４２と、両側壁部４１，４２を、それらの奥行き方向の中間部において繋ぐ立壁部４３を具備しており、図示した例では、平面から見て大略Ｈ状をなすように形成されている。このブラケット４は、側面から見ると、側壁部４１，４２が大略逆三角形状を呈する形態であり、立壁部４３の背面が上記フレームＦのブラケット取付部３１に、例えばビス止めによって固着されることにより、フレームＦにブラケット４が結合されている。
【００２１】
前記ブラケット４において、側壁部４１，４２の前方側の上部には、水平な軸（水平に寝かせた支柱）が双眼ルーペＯＰの取付軸５として設けられている。図において、ＯＰ−１，ＯＰ−２は、双眼ルーペＯＰの本体と前記取付軸５の間を繋ぐ自在継手タイプの支持アームで、このアームＯＰ−１，２と連結軸ＯＰ−３は双眼ルーペＯＰの装着者の眼に対する位置を前後並びに上下に調整する作用を持っている。
【００２２】
上記に説明したブラケット４の形態は一例であって、本考案におけるブラケット４は上記形態に限られるものではない。要すれば、ブラケット４の背面側においてフレームＦの取付部３１に取付けられ、当該ブラケット４の前面側において双眼ルーペＯＰを取付軸５を介して取付けることができる形態であればよい。
【００２３】
本考案では、上記ブラケット４における立壁部４３の背後に、後述する鼻当て６を取付けた鼻当て支持杆部材７を支持する挟持部Ｈｍが配設されているので、以下に鼻当て支持杆部材７の挟持部Ｈｍについて説明する。
【００２４】
挟持部Ｈｍは、支持杆部材７の上部を支持して案内する作用をするガイド部材８と玉受け部材９を主体に形成されている。
すなわち、ガイド部材８と玉受け部材９は、図示した例では当該両部材８，９の前，後面における接合面でビス止めすることにより合着一体化して、後に説明する挟持部Ｈｍを形成しており、この挟持部Ｈｍが、ガイド部材８の上方において、前記取付軸５と平行な支持軸４４によりブラケット４における左右側壁部４１，４２の後方上部に枢着されている。
なお、ガイド部材８と玉受け部材９は、ビス止めによる合着一体化した挟持部Ｈｍのほか、例えば、接合面のダボとダボ穴を雌雄結合して一体化した挟持部Ｈｍや、両部材８，９を一体化した成型品による挟持部Ｈｍなどがある。
【００２５】
ここで、前記ガイド部材８の背面には、鼻当て６の支持杆部材８の上部側を挿入できる平断面大略凸状のガイド溝８ａが形成され、この溝８ａに、当該溝８ａの形状と略同等形状でスライド可能な遊び分だけ小さい断面に形成された支持杆部材７の上部が挿入されている。
【００２６】
ガイド溝８ａに挿入された前記支持杆部材７は、当該ガイド溝８ａに入らない面（つまり支持杆部材７の背面）が、ガイド部材８の背面にビス止めで一体化された玉受け部材９の前面に対面し、この挟持部Ｈｍに保持されることになる。
【００２７】
上記の挟持部Ｈｍには、鼻当て支持杆部材７を保持する上で必要なバネや鋼球（ボール）による付属部材が設けられているので、以下に説明する。
【００２８】
図４において、玉受け部材９の前面左右側には、ブラケット４の立壁部４３の背面左右側に根元側を位置付けてガイド部材８の左右側に貫通して設けられたバネ挿通穴８ｂ，８ｃを通された圧縮バネ１０，１１の先端部が当接させられていて、当該玉受け部材９が前記バネ１０，１１のバネ力で常時後方へ向けて押されるように形成されている。圧縮バネ１０，１１によって後方へ向けて付勢された玉受け部材９はガイド部材８とビス止めによって合着一体化されて挟持部Ｈｍを構成しているので、上記バネ１０，１１が、この挟持部Ｈｍに保持された鼻当て支持杆部材７を支持軸４４を中心に後方へ向けて押出す作用をする。鼻当て支持杆部材７を後方へ押出すバネ作用は、上記圧縮バネ１０，１１に代えて、板バネやねじりバネなどを用いても得ることができる。
【００２９】
一方、上記玉受け部材９における左右幅の中間部には、直径が玉受け部材９の厚さより少し大きいボール（鋼球）１２を収容するボール穴９ａが当該玉受け部材９を貫通して設けられている。前記ボール１２は、そのボール穴９ａの底が当該玉受け部材９の背面にビス止めされた板バネ１３によって塞がれていることにより、このボール穴９ａの入口（玉受け部材９の前面側）から少し突出しており、この突出部分が、鼻当て支持杆部材７の背面（玉受け部材９の前面との当接面）に上下方向に列設した断面凹状のボール受け７ａに嵌まることにより、この鼻当て支持杆部材７を節度のある操作感によって、上下動させることができる。本考案では、板バネ１３の一部をボール１２の前半側の断面状をなす曲面凸部を有するように形成し、この曲面凸部をボール穴９ａに入れた形にして板バネ１３にボール９ａの突出部分の作用をさせるようにすることもできる。
【００３０】
上記のような支持態様によって挟持部Ｈｍに支持杆部材７が保持された鼻当て６は、圧縮バネ１０，１１の作用により、常態では図４に例示するように、前記支持杆部材６がその挟持部Ｈｍの支持軸４４を中心に後方へ揺動後退した姿勢におかれる。
【００３１】
従って、双眼ルーペＯＰをマウントしたフレームＦを装着する者は、一例として図５の状態にある鼻当て６の位置が、自分の好み等にフィットしているかどうかを確かめて、鼻当て支持杆部材７を上下移動させたり、その支持杆部材７を前方へ押して、鼻当て６の位置を、例えば図６に示すように変えることができる。
【００３２】
このように、本考案の双眼ルーペでは、その鼻当て６の位置を、上下方向のみならず、前後においても位置可変に形成したから、双眼ルーペ装着者の鼻の位置や大きさ、高さなどの要因に柔軟に対応できる鼻当ての位置を実現することができ、従って、長時間の装着においても装着者に不快感や疲労感を覚えさせないという利点がある。
【００３３】
上記の双眼ルーペＯＰの装着において、本考案の実施態様のフレームＦでは、前方へ向けて突出湾曲したフロント部材３の背面側に当該部材３の湾曲部位の左右側部の間をショートカット的に連結するバックブリッジ部材３２を架設した構成を採用している。このブリッジ部材３２の内面（装着者の額側）にはパッド材３２ａが設けられている。
【００３４】
従来公知の双眼ルーペのフレームでは、眼鏡フレーム状のフレームにおける左右のテンプル部材の挟持力と鼻当てによる下からの支持力によって双眼ルーペ全体の重量を支持する態様であった。このため先に述べたような問題があったのであるが、本考案双眼ルーペでは、左右のテンプル部材１，２と鼻当て６のほか、バックブリッジ部材３２がパッド材３２ａを介して額に当接するようにして双眼ルーペＯＰのフレームＦによる支持位置を増やしたこと、及び、これと相俟って前記鼻当て６がバネ力を介在した位置可変の構造であることにより、飛躍的に装着感を向上させることができると共に装着時の安定感を増すことができる。
【産業上の利用可能性】
【００３５】
本考案は以上の通りであるから、双眼ルーペの鼻当て取付機構としてきわめて有用である。
【符号の説明】
【００３６】
Ｆ          フレーム
１，２      テンプル部材
３          フロント部材
３２        バックブリッジ部材
ＯＰ        双眼ルーペ
４          ブラケット
５          双眼ルーペＯＰの取付軸
６          鼻当て
７          鼻当て支持杆部材
Ｈｍ        挟持部
８          ガイド部材
９          玉受け部材
１０，１１  圧縮バネ
１２        鋼球（ボール）
【図１】
0003184651.tif 000003
【図２】
0003184651.tif 000004
【図３】
0003184651.tif 000005
【図４】
0003184651.tif 000006
【図５】
0003184651.tif 000007
【図６】
0003184651.tif 000008
【手続補正書】
【提出日】平成25年4月18日(2013.4.18)
【手続補正１】
【補正対象書類名】図面
【補正対象項目名】図１
【補正方法】変更
【補正の内容】
【図１】
0003184651.tif 000009
【手続補正２】
【補正対象書類名】図面
【補正対象項目名】図２
【補正方法】変更
【補正の内容】
【図２】
0003184651.tif 000010